(57)【要約】【課題】簡易な構成により高品質な立体表示を可能とする表示装置を提供すること。【解決手段】像を形成する像形成部である表示パネル１１と、像形成部により形成された像を結像させる結像光学系１４と、結像光学系１４の入射側に設けられ、結像光学系１４により結像させた像の位置を変化させる結像位置可変部と、を有し、結像位置可変部は、像形成部及び結像光学系１４の間に中間像１３を形成するリレー光学系１２を備え、リレー光学系１２により中間像１３の位置を変化させることで、像形成部によって順次切り替えられる複数の像の位置をそれぞれ変化させる。【選択図】図１
2008180759.tif 000002
【特許請求の範囲】
【請求項１】
像を形成する像形成部と、
前記像形成部により形成された像を結像させる結像光学系と、
前記結像光学系の入射側に設けられ、前記結像光学系により結像させた像の位置を変化させる結像位置可変部と、を有し、
前記結像位置可変部は、前記像形成部によって順次切り替えられる複数の像の位置をそれぞれ変化させることを特徴とする表示装置。
【請求項２】
前記結像位置可変部は、前記像形成部及び前記結像光学系の間に中間像を形成するリレー光学系を備え、
前記リレー光学系は、前記中間像の位置を変化させることを特徴とする請求項１に記載の表示装置。
【請求項３】
前記リレー光学系は、前記リレー光学系を構成する光学素子の位置を変化させることにより、前記中間像の位置を変化させることを特徴とする請求項２に記載の表示装置。
【請求項４】
前記結像位置可変部は、光の位相を変調することにより像を形成する前記像形成部である位相変調部を備え、
前記位相変調部は、位相変調パターンに応じた回折光を生じさせながら光の位相を変化させることにより前記位相変調部及び前記結像光学系の間に中間像を形成し、かつ前記中間像の位置を変化させることを特徴とする請求項１に記載の表示装置。
【請求項５】
前記位相変調部へコヒーレント光を供給する光源部を有することを特徴とする請求項４に記載の表示装置。
【請求項６】
前記結像光学系からの光のうちの一部を透過させ、他の一部の光を反射させる部分透過ミラーを有することを特徴とする請求項１〜５のいずれか一項に記載の表示装置。
【請求項７】
前記部分透過ミラーに関して前記結像光学系が設けられた側とは異なる側に設けられ、像を表示する表示部を有することを特徴とする請求項６に記載の表示装置。
【発明の詳細な説明】
【技術分野】
【０００１】
本発明は、表示装置、特に、虚像による立体表示を映し出す表示装置の技術に関する。
【背景技術】
【０００２】
従来、三次元立体表示を行うための立体視ディスプレイが提案されている。ユーザの視野に直接表示を映し出すヘッドアップディスプレイにおいて、互いに異なる再生位置の虚像を重ね合わせることにより、三次元立体表示を行うことが可能である。例えば、単独の平面像のみでは立体感を得にくい場合に、複数の平面像を重ね合わせることで立体感を得ることが可能になる。また、互いに異なる明るさの像を重ね合わせることで像の奥行き感を出すことが可能となる。従来、互いに異なる再生位置の虚像を得るために、焦点位置を可変とする可変焦点レンズを用いる技術が提案されている（例えば、特許文献１参照）。また、ヘッドアップディスプレイにおいて複数の表示板を用いる技術が提案されている（例えば、特許文献２参照）。
【０００３】
【特許文献１】特開平９−２９７２８２号公報
【特許文献２】特開２００４−１６８２３０号公報
【発明の開示】
【発明が解決しようとする課題】
【０００４】
特許文献１に提案される構成において、可変焦点レンズは、接眼光学系に用いられている。かかる構成の場合、虚像が見える範囲（アイレンジ）を大きくすることで大きな画角を採用するに従い、大型な可変焦点レンズが必要となる。大型な可変焦点レンズは製造が難しい上、大型な可変焦点レンズが必要であることによって表示装置の小型化、及び軽量化が困難になる。特許文献２に提案される技術のように複数の表示板の表示を切り替える場合、設定可能な焦点位置の数を多くするほど多くの表示板が必要となる。多くの表示板が必要であると、表示装置の構成が複雑になる。また、表示板の配置によって虚像の焦点距離が固定されるため、虚像の位置を連続的に変化させることも非常に困難である。従って、従来の技術によると、簡易な構成により高品質な立体表示を行うことが困難であるという問題を生じる。本発明は、上述の問題に鑑みてなされたものであり、簡易な構成により高品質な立体表示を可能とする表示装置を提供することを目的とする。
【課題を解決するための手段】
【０００５】
上述した課題を解決し、目的を達成するために、本発明によれば、像を形成する像形成部と、像形成部により形成された像を結像させる結像光学系と、結像光学系の入射側に設けられ、結像光学系により結像させた像の位置を変化させる結像位置可変部と、を有し、結像位置可変部は、像形成部によって順次切り替えられる複数の像の位置をそれぞれ変化させることを特徴とする表示装置を提供することができる。
【０００６】
結像位置可変部によって結像位置を変化させた複数の像を重ね合わせることにより、高い立体感、臨場感による表示を行うことが可能となる。結像光学系の入射側に設けられた結像位置可変部により虚像の結像位置を変化させる構成とすることで、結像光学系にて大きな画角を採用し、かつ結像位置可変部を小型な構成とすることが可能である。また、複数の表示板も不要であるから、表示装置を簡易な構成とすることができる。これにより、簡易な構成により高品質な立体表示を可能とする表示装置を得られる。
【０００７】
また、本発明の好ましい態様としては、結像位置可変部は、像形成部及び結像光学系の間に中間像を形成するリレー光学系を備え、リレー光学系は、中間像の位置を変化させることが望ましい。リレー光学系により形成された中間像は、結像光学系を通して虚像として観察される。リレー光学系により中間像の位置を変化させることにより、簡易な構成により虚像の位置を自由に変化させることが可能となる。
【０００８】
また、本発明の好ましい態様としては、リレー光学系は、リレー光学系を構成する光学素子の位置を変化させることにより、中間像の位置を変化させることが望ましい。光学素子の位置を変化させることにより、虚像の位置を連続的に変化させることが容易にできる。
【０００９】
また、本発明の好ましい態様としては、結像位置可変部は、光の位相を変調することにより像を形成する像形成部である位相変調部を備え、位相変調部は、位相変調パターンに応じた回折光を生じさせながら光の位相を変化させることにより位相変調部及び結像光学系の間に中間像を形成し、かつ中間像の位置を変化させることが望ましい。位相変調部により形成された中間像は、結像光学系を通して虚像として観察される。位相変調部により中間像の位置を変化させることにより、簡易な構成により虚像の位置を自由に変化させることが可能となる。
【００１０】
また、本発明の好ましい態様としては、位相変調部へコヒーレント光を供給する光源部を有することが望ましい。コヒーレント光を用いることで、位相変調部において良好な回折特性を得ることができる。
【００１１】
また、本発明の好ましい態様としては、結像光学系からの光のうちの一部を透過させ、他の一部の光を反射させる部分透過ミラーを有することが望ましい。これにより、部分透過ミラーの向こう側の空間と虚像とを同時に観察可能な構成にできる。
【００１２】
また、本発明の好ましい態様としては、部分透過ミラーに関して結像光学系が設けられた側とは異なる側に設けられ、像を表示する表示部を有することが望ましい。これにより、表示部により表示される像と虚像とを重ね合わせて表示を行うことができる。
【発明を実施するための最良の形態】
【００１３】
以下に図面を参照して、本発明の実施例を詳細に説明する。
【実施例１】
【００１４】
図１は、本発明の実施例１に係る表示装置１０の概略構成を示す。表示パネル１１は、バックライトにより供給される光を変調することにより像を形成する像形成部であって、透過型液晶パネルである。透過型表示パネルとしては、例えば高温ポリシリコンＴＦＴ表示パネル（High  Temperature  Polysilicon；ＨＴＰＳ）を用いることができる。表示パネル１１からの光は、リレー光学系１２へ入射する。リレー光学系１２は、表示パネル１１及び結像光学系１４の間に中間像１３を形成する。リレー光学系１２は、例えば集光レンズを用いる構成とすることができる。
【００１５】
リレー光学系１２からの光は、結像光学系１４へ入射する。結像光学系１４は、表示パネル１１による変調により形成された像を結像する。結像光学系１４の前側焦点よりも結像光学系１４に近い位置に中間像１３を形成することで、結像光学系１４を通して中間像１３の虚像１６が再生される。結像光学系１４は、リレー光学系１２と同様、集光レンズを用いる構成とすることができる。結像光学系１４からの光は、部分透過ミラー１５へ入射する。部分透過ミラー１５は、結像光学系１４からの光のうちの一部を透過させ、他の一部の光を反射させる。部分透過ミラー１５は、透明部材であるガラス等に誘電体多層膜をコーティングすることにより構成することができる。
【００１６】
結像光学系１４からの光のうち部分透過ミラー１５で反射した光は、観察者の方向へ進行する。かかる構成により、観察者は、リレー光学系１２によって形成される中間像１３の虚像１６を観察することができる。虚像１６による表示は、部分透過ミラー１５からの反射光線を部分透過ミラー１５の向こう側に延長した位置に提示される。また、観察者側とは反対側から部分透過ミラー１５へ入射する光のうち部分透過ミラー１５を透過した光は、観察者の方向へ進行する。かかる構成により、観察者は、部分透過ミラー１５の向こう側の空間と虚像１６とを同時に観察することが可能となる。
【００１７】
リレー光学系１２を構成する集光レンズは、光を進行させる方向について前後に移動可能に配置されている。リレー光学系１２を構成する光学素子である集光レンズの位置を変化させることにより、中間像１３の位置を変化させる。光の進行方向について中間像１３の位置を前後させることで、結像光学系１４の前側焦点から中間像１３までの距離を変化させて虚像１６を表示することができる。前側焦点から中間像１３までの距離を変化させることにより、観察者から見て奥行き方向についての虚像１６の位置を変化させることができる。リレー光学系１２は、結像光学系１４の入射側に設けられた結像位置可変部であって、結像光学系１４により形成される虚像１６の位置を変化させる。また、中間像１３の大きさに応じて、虚像１６の大きさを適宜設定することができる。
【００１８】
図２は、表示装置１０による三次元立体表示について説明するものである。三次元立体表示には、立体表示する物体に関してサンプリングされた複数の平面像１７が用いられる。各平面像１７には、物体の断面像１８が含まれている。各断面像１８は、奥行き方向について所定の間隔で物体を輪切りした場合の断面像である。表示パネル１１は、光を変調することにより、複数の平面像１７を順次切り替える。
【００１９】
表示装置１０は、表示パネル１１による平面像１７の切り替えに同期してリレー光学系１２を構成する光学素子を移動させることにより、中間像１３の位置を順次変化させる。中間像１３の位置を順次変化させることにより、虚像１６である各平面像１７の位置をそれぞれ変化させる。立体表示する物体に関して予めサンプリングされた各断面像１８を奥行き方向へ重ね合わせることにより、三次元立体表示が可能となる。
【００２０】
各平面像１７に含まれる物体の断面像１８は、それぞれを単独で目視したとしても、立体感を得ることは困難である。表示装置１０により位置を変化させながら各断面像１８を表示することで、物体の内部の構成を立体表示することが可能となる。各平面像１７を密に並列可能であるほど、高い立体感、臨場感を得ることができる。表示パネル１１による平面像１７の切り替えは、各平面像１７の残像によって立体視が可能な程度の時間内に行う必要がある。例えば、６０分の１秒以内に表示された各平面像１７を重ね合わせることで、高い立体感、臨場感を得ることが可能である。
【００２１】
結像光学系１４の入射側に設けられたリレー光学系１２により虚像１６の再生位置を変化させる構成とすることで、結像光学系１４にて大きな画角を採用し、かつリレー光学系１２を小型な構成とすることが可能である。また、複数の表示板も不要であるから、表示装置１０を簡易な構成とすることができる。これにより、簡易な構成により高品質な立体表示ができるという効果を奏する。
【００２２】
本発明の表示装置１０は、実物に近い状態で物体の内部を表示することが可能であることから、例えば、医療、教育等の各分野において物体の構造を示す場合に有用である。表示装置１０は、物体の表面像を重ね合わせることとしても良い。例えば、結像位置ごとに異なる輝度を持たせた表面像を含む平面像１７を重ね合わせることで、物体の奥行き感を効果的に演出することができる。これにより、複数のパネルを用いる従来のＤＦＤ（Depth  Fused  3D）方式と同様の表示を、１つの表示パネル１１によって実現することが可能となる。
【００２３】
リレー光学系１２は、光の進行方向について中間像１３の位置を変化させる場合に限られない。リレー光学系１２は、光の進行方向に略直交する二次元方向について中間像１３の位置を変化させることとしても良い。この場合、二次元方向について虚像１６の位置を変化させることができる。リレー光学系１２は、リレー光学系１２を構成する光学素子を移動させる構成とする他、可変焦点レンズを用いる構成としても良い。リレー光学系１２は、可変焦点レンズにより焦点距離を変化させる構成としても、虚像１６の位置を変化させることができる。表示装置１０は、大きな画角を採用する場合であっても、小型で容易に形成可能な可変焦点レンズを用いることができる。
【００２４】
表示装置１０は、部分透過ミラー１５を省略し、結像光学系１４からの光を直視する構成であっても良い。さらに、表示装置１０は、リレー光学系１２により中間像１３を形成する構成に限られず、リレー光学系１２を省略しても良い。リレー光学系１２を省略する場合、例えば表示パネル１１の位置を変化させることにより、虚像１６の位置を変化させることができる。表示パネル１１の位置を変化させる場合、表示パネル１１は、結像位置可変部として機能する。表示装置１０は、表示パネル１１として透過型液晶パネルを用いる場合に限られない。表示パネル１１としては、反射型液晶表示パネル（Liquid  Crystal  On  Silicon；ＬＣＯＳ）、ＤＭＤ（Digital  Micromirror  Device）等を用いても良い。光走査型のデバイスを用いる場合は、中間像１３の位置に拡散板を配置し、これを動かすことにより、リレー光学系１２の光学素子の位置を変化させるのと同じ効果が得られる。像形成部は、光を変調することにより像を形成するものに限られず、形成された像を順次切り替えることが可能なものであれば良い。
【実施例２】
【００２５】
図３は、本発明の実施例２に係る表示装置２０の概略構成を示す。本実施例の表示装置２０は、結像位置可変部である位相変調部２２を有することを特徴とする。上記実施例１と同一の部分には同一の符号を付し、重複する説明を省略する。光源部２１は、コヒーレント光であるレーザ光を供給する半導体レーザである。光源部２１は、半導体レーザからのレーザ光の波長を変換する波長変換素子、例えば、第二高調波発生（Second  Harmonic  Generation；ＳＨＧ）素子を用いる構成としても良い。光源部２１は、半導体レーザに代えて、半導体レーザ励起固体（Diode  Pumped  Solid  State；ＤＰＳＳ）レーザや、固体レーザ、液体レーザ、ガスレーザ等を用いても良い。
【００２６】
光源部２１からのレーザ光は、平行化された状態で位相変調部２２へ入射する。位相変調部２２は、画素に対応する複数の液晶素子（不図示）を備える透過型の表示パネルである。位相変調部２２は、光源部２１からのレーザ光の位相を変調することにより像を形成する像形成部であって、かつ結像光学系１４の入射側に設けられた結像位置可変部である。位相変調部２２は、位相変調パターンに応じた回折光を生じさせる。コヒーレント光であるレーザ光を位相変調部２２へ入射させるため、位相変調部２２において良好な回折特性を得ることができる。
【００２７】
図４は、図３に示す位相変調部２２に設けられる液晶素子３０の断面構成を示す。液晶素子３０は、第１透明基板３１及び第２透明基板３４により液晶層４２を封止して構成されている。第１透明基板３１と液晶層４２との間には、第１透明電極３２が形成されている。第１透明電極３２は、例えば金属酸化物であるＩＴＯやＩＺＯにより構成することができる。第１透明電極３２と液晶層４２との間のうち一部領域に、遮光層３３が設けられている。この他、ラビング処理が施された不図示の配向膜が形成されている。
【００２８】
第２透明基板３４上の一部領域には、半導体層３５、半導体層３５の上に形成されたゲート絶縁膜３６、ゲート絶縁膜３６の上に形成されたゲート電極３７が設けられている。かかる部分は、半導体層３５の一部をソース及びドレインとする薄膜トランジスタ（ＴＦＴ）を構成する。第２透明基板３４及びＴＦＴの上には、酸化シリコン等からなる絶縁膜３８が形成されている。ＴＦＴの上には、絶縁膜３８を介して信号線３９が設けられている。信号線３９は、ＴＦＴのソースに接続されている。また、不図示の走査線は、ＴＦＴのゲートであるゲート電極３７に接続されている。
【００２９】
絶縁膜３８、信号線３９、及び走査線の上には、ＰＳＧ（Phosphosilicate  glass）膜４０が形成されている。ＰＳＧ膜４０のうちＴＦＴに対応する部分以外の部分の上には、第２透明電極４１が設けられる。第２透明電極４１は、第１透明電極３２と同様、ＩＴＯやＩＺＯにより構成することができる。ＴＦＴ及び第２透明電極４１は、画素ごとに形成される。この他、第２透明基板３４側にも、配向膜が形成される。第２透明基板３４側の配向膜のラビング方向は、第１透明基板３１側の配向膜のラビング方向に対して平行かつ逆向きとされる。これにより、液晶素子３０は、全体として均一な配向状態を得ることができる。
【００３０】
液晶素子３０は、第１透明基板３１、第１透明電極３２、液晶層４２及び第２透明電極４１を順次透過した光を第２透明基板３４から出射させる。液晶素子３０は、第１透明基板３１へ入射するレーザ光の偏光方向が、第１透明基板３１側における液晶分子の配向方向に一致するように配置されている。これにより、光源部２１（図３参照）からのレーザ光を効率良く液晶素子３０へ入射させることができる。
【００３１】
位相変調部２２は、例えば、アクティブマトリクス方式により駆動される。液晶素子３０としては、電界制御複屈折モードの液晶を用いることができる。低分子で比較的高い複屈折率を備える液晶を用いることにより、位相変調部２２の高速応答を可能とし、かつ低い駆動電圧で十分な位相変調を行うことができる。
【００３２】
図３に戻って、位相変調部２２は、位相変調パターンに応じた回折光を生じさせながら光の位相を変化させることにより、中間像１３を形成する。結像光学系１４は、位相変調部２２によって形成された中間像１３の虚像１６を再生させる。位相変調部２２は、光の位相を変化させることにより、中間像１３の位置を変化させる。位相変調部２２は、位相を変調することにより複数の虚像１６を順次切り替えるとともに、複数の虚像１６の位置をそれぞれ変化させる。例えば、位相変調部２２は、異なる位置に中間像１３を形成させる位相変調パターンを、位相変調部２２を駆動するデバイスに予め設定することで、中間像１３の位置を変化させることができる。本実施例の場合も、簡易な構成により高品質な立体表示が可能となる。
【００３３】
図５は、本実施例の変形例１に係る表示装置５０の概略構成を示す。本変形例の表示装置５０は、位相変調部２２からの一次回折光を用いて中間像１３を形成することを特徴とする。位相変調部２２は、破線矢印で示すようにゼロ次回折光を直進させ、実線矢印で示すように一次回折光を斜めに進行させることにより、ゼロ次回折光と一次回折光とを分離させる。位相変調部２２は、斜めに進行させた一次回折光を用いて中間像１３を形成する。
【００３４】
結像光学系１４は、位相変調部２２からの一次回折光が入射する位置であって、位相変調部２２からのゼロ次回折光が入射する位置以外の位置に設けられている。位相変調部２２は、一次回折光について大きな回折角を得ることで、一次回折光のみを結像光学系１４へ入射させる構成にできる。位相変調部２２は、狭いピッチで液晶素子３０（図４参照）を配列することにより、一次回折光について大きな回折角を得ることができる。一次回折光を用いて中間像１３を形成することで、一次回折光と比較してゼロ次回折光の光量が大きい場合に、ゼロ次回折光と一次回折光が重なって、虚像１６の一部のみが明るくなることを防ぐことが可能となる。これにより、良好な光量分布の虚像１６を得ることが可能となる。
【００３５】
図６に示す表示装置６０は、位相変調部２２及び結像光学系１４の間に設けられたプリズム６１を有する。プリズム６１は、透明部材により形成された三角プリズムである。プリズム６１は、屈折作用により、位相変調部２２からのゼロ次回折光を斜め方向へ進行させ、位相変調部２２からの一次回折光を直進させる。プリズム６１は、位相変調部２２からのゼロ次回折光と一次回折光とを分離させる光分離部である。
【００３６】
表示装置６０は、プリズム６１を用いることにより、一次回折光を直進させる構成にできる。また、結像光学系１４の方向へ容易に一次回折光のみを進行させることが可能となる。プリズム６１は、三角プリズム以外のプリズムであっても良い。光分離部は、ゼロ次回折光と一次回折光とを分離させることが可能であれば良く、プリズム６１以外の光学素子を用いても良い。光分離部は、一次回折光を直進させる構成である他、一次回折光を斜めに進行させる構成であっても良い。光分離部は、特に、位相変調部２２において大きな回折角を得ることが困難である場合に有用である。
【００３７】
図７は、本実施例の変形例２に係る表示装置７０の概略構成を示す。本変形例の表示装置７０は、反射型の表示パネルである位相変調部７１を備える。位相変調部７１は、光源部２１からのレーザ光を反射させることで、位相変調パターンに応じた回折光を生じさせる。レーザ光を反射させることで回折光を生じさせる位相変調部７１を用いる表示装置７０の場合も、結像位置を変化させて虚像１６を表示することができる。
【実施例３】
【００３８】
図８は、本発明の実施例３に係る表示装置８０の概略構成を示す。本実施例の表示装置８０は、表示部８１を有することを特徴とする。表示部８１は、光を変調することにより像を形成する。表示部８１としては、表示パネル１１と同様、透過型液晶パネルを用いることができる。表示部８１は、部分透過ミラー１５に関して結像光学系１４が設けられた側とは反対側であって、結像光学系１４により結像する虚像１６の位置の近傍に設けられている。
【００３９】
表示部８１からの光のうち部分透過ミラー１５を透過した光は、観察者の方向へ進行する。かかる構成により、表示装置８０は、虚像１６と表示部８１の像とを重ね合わせて表示することが可能となる。表示装置８０は、表示部８１で形成される像を表示部８１の位置に固定するとともに虚像１６の位置を変化させる表示を行うことができる。例えば、表示部８１により表示される背景の焦点位置を変化させず、虚像１６である前景のみ焦点位置を移動させることで、画像表示において高い臨場感を演出することが可能となる。また、表示部８１で形成される像と虚像１６とを重ね合わせることで、立体表示を行うこととしても良い。
【００４０】
表示部８１は、透過型液晶パネルを用いる他、実施例２において説明する光源部２１及び位相変調部２２（図３参照）を用いる構成としても良い。表示部８１は、ＬＣＯＳ、ＤＭＤ等を用いても良い。また、表示部８１は、像を表示可能なものであれば良く、随時像を形成するものに限られない。表示部８１は、固定された特定の像を表示するものであっても良い。さらに、表示部８１に代えて、各実施例で説明する表示装置を用いる構成としても良い。複数の表示装置を用いることで、各表示装置の虚像１６同士を重ね合わせて立体表示を行うことができる。
【産業上の利用可能性】
【００４１】
以上のように、本発明に係る表示装置は、虚像による立体表示を映し出す表示装置として有用である。
【図面の簡単な説明】
【００４２】
【図１】本発明の実施例１に係る表示装置の概略構成を示す図。
【図２】表示装置による三次元立体表示について説明する図。
【図３】本発明の実施例２に係る表示装置の概略構成を示す図。
【図４】図３に示す位相変調部に設けられる液晶素子の断面構成を示す図。
【図５】実施例２の変形例１に係る表示装置の概略構成を示す図。
【図６】プリズムを有する表示装置の概略構成を示す図。
【図７】実施例２の変形例２に係る表示装置の概略構成を示す図。
【図８】本発明の実施例３に係る表示装置の概略構成を示す図。
【符号の説明】
【００４３】
１０  表示装置、１１  表示パネル、１２  リレー光学系、１３  中間像、１４  結像光学系、１５  部分透過ミラー、１６  虚像、１７  平面像、１８  断面像、２０  表示装置、２１  光源部、２２  位相変調部、３０  液晶素子、３１  第１透明基板、３２  第１透明電極、３３  遮光層、３４  第２透明基板、３５  半導体層、３６  ゲート絶縁膜、３７  ゲート電極、３８  絶縁膜、３９  信号線、４０  ＰＳＧ膜、４１  第２透明電極、４２  液晶層、５０  表示装置、６０  表示装置、６１  プリズム、７０  表示装置、７１  位相変調部、８０  表示装置、８１  表示部
【図１】
2008180759.tif 000003
【図２】
2008180759.tif 000004
【図３】
2008180759.tif 000005
【図４】
2008180759.tif 000006
【図５】
2008180759.tif 000007
【図６】
2008180759.tif 000008
【図７】
2008180759.tif 000009
【図８】
2008180759.tif 000010